(57)【要約】【課題】  装置を薄型化でき、しかも内部の温度上昇を確実に抑えて投影光線や反射光線に不規則な屈折が生じることを一掃でき、鮮明で綺麗な映像をスクリーンに映し出せるようにする。【解決手段】  プロジェクター１を筺体４内の下部中央の後寄りに二層に形成した収納部５に夫々納める。筺体４の一方の側面４ａに外部空気の吸気口６を形成すると共に、この吸気口６と各プロジェクター１の収納部５とを吸気ダクト８で連通状に接続する。筺体４の他方の側面４ｂにプロジェクター１を冷却した後の空気の排気口７を形成すると共に、この排気口７と各プロジェクター１の収納部５とを排気ダクト９で連通状に接続する。収納部５と吸気口６と排気口７とを直列に配置する。各ダクト８、９と収納部５とで形成する空気流通路にファン１０ａ、１０ｂを設ける。【選択図】      図１
2005173277.tif 000002
【特許請求の範囲】
【請求項１】
２台のプロジェクターからの映像をミラーで反射させて画面に映し出す可動式の立体視ディスプレー装置であって、上記のプロジェクターが筺体内の下部中央の後寄りに二層に形成された収納部に夫々納められ、筺体の一方の側面に外部空気の吸気口が形成されると共に、この外部空気の吸気口と各プロジェクターの収納部とが吸気ダクトで連通状に接続され、また筺体の他方の側面にプロジェクターを冷却した後の空気の排気口が形成されると共に、この排気口と各プロジェクターの収納部とが排気ダクトで連通状に接続され、また上記の収納部と外部空気の吸気口と排気口とが直列に配置され、各ダクトと収納部とで形成される空気流通路にファンが設けられていることを特徴とする立体視ディスプレー装置。
【請求項２】
請求項１記載の立体視ディスプレー装置であって、筺体の他方の側面に、筺体に内蔵された電源装置から発散する熱を排出するための排熱口が形成され、この排熱口と電源装置とがダクトで連通状に接続されていることを特徴とする立体視ディスプレー装置。
【請求項３】
請求項１又は２記載の立体視ディスプレー装置であって、プロジェクターを制御するためのコンピュータが筺体内に設けられ、このコンピュータのインターフェース部が筺体の前側に露出されていることを特徴とする立体視ディスプレー装置。
【発明の詳細な説明】
【技術分野】
【０００１】
本発明は立体視ディスプレー装置に関し、更に詳しくは２台のプロジェクターの映像をミラーで反射させてスクリーンに投影し、視差を利用して立体視可能に形成した立体視ディスプレー装置に関するものである。
【背景技術】
【０００２】
従来この種の装置としては、プロジェクターを冷却するためのファンを備え、このファンで筺体内の空気を強制的に排気したり、またファンで吸引した外部空気を各プロジェクターに導き、各プロジェクターを個別に冷却するよう形成しているものがある（例えば特許文献１、同２参照）。
【０００３】
ところでこの種の装置が立体視のためプロジェクターを２台内蔵すると、プロジェクター自体や内蔵する電源部からの放熱で筺体内の温度は、プロジェクターを１台備えているものに比べ倍増する。この場合、装置の小型化、省スペース化を図るため奥行きを短くして装置を薄型化すると、それに伴い筺体内のスペースが小さくなるため、一層、内部の温度上昇が早くなり、熱くなった空気でプロジェクターからの投影光線やミラーの反射光線が不規則に屈折し、スクリーンの映像に歪みが生じ易くなる。従ってこの種の装置は、薄型化しても、内部の温度上昇を確実に抑え、投影映像に歪みが生じないよう形成されているのが望ましい。
しかるに特許文献１に記載の従来品は、筺体内に設けたファンで単に排気しているものであったから、この従来品によると冷却効率が悪く、投影映像の歪みを確実に防止することができなかった。
またプロジェクターを個別に冷却する特許文献２に記載の従来品の場合は、装置の奥行きが長くなり、内部の配管構造が複雑化し、装置の組立てコストや製造コストが増大し、また配管が屈曲しているため空気が滑らかに流れず、冷却効率が悪い、という問題点があった。またこの従来品の場合は、冷却後の空気を取り込む配管の排気口がプロジェクターの投光レンズの前方に設けられているため、投光レンズの前側に空気の流れが起き、投影光線に悪影響を与える、という問題点があった。
【特許文献１】特開平６−１８９８６号公報
【特許文献２】特開２００２−６３９４号公報
【発明の開示】
【発明が解決しようとする課題】
【０００４】
本発明は、このような従来技術の問題点に鑑み、提案されたものである。
従って本発明の解決しようとする技術的課題は、装置を薄型化でき、しかも内部の温度上昇を確実に抑えて投影光線や反射光線に不規則な屈折が生じることを一掃でき、鮮明で綺麗な映像をスクリーンに映し出すことができるよう形成した立体視ディスプレー装置を提供することにある。
【課題を解決するための手段】
【０００５】
本発明は、上記の課題を解決するため、次のような技術的手段を採る。
即ち本発明は、図１等に示されるように、２台のプロジェクター１からの映像をミラー２ａ、２ｂで反射させて画面３に映し出す可動式の立体視ディスプレー装置であって、上記のプロジェクター１が筺体４内の下部中央の後寄りに二層に形成された収納部５に夫々納められ、筺体４の一方の側面４ａに外部空気の吸気口６が形成されると共に、この外部空気の吸気口６と各プロジェクター１の収納部５とが吸気ダクト８で連通状に接続され、また筺体４の他方の側面４ｂにプロジェクター１を冷却した後の空気の排気口７が形成されると共に、この排気口７と各プロジェクター１の収納部５とが排気ダクト９で連通状に接続され、また上記の収納部５と外部空気の吸気口６と排気口７とが直列に配置され、各ダクト８、９と収納部５とで形成される空気流通路にファン１０ａ、１０ｂが設けられていることを特徴とする（請求項１）。
【０００６】
本発明の場合は、吸気口６と排気口７が、各プロジェクター１に対応して両側面４ａ、４ｂに夫々形成され、また吸気ダクト８と排気ダクト９は、各プロジェクター１ごと収納部５の左右側に１本ずつ配管されるのが好ましいが、これに限定されるものではない。即ち本発明は、例えば吸気口６と排気口７が両側面４ａ、４ｂに夫々１個形成されて共同利用され、吸気ダクト８、排気ダクト９が分岐状に形成されて収納部５に接続されているのでも良い。また本発明の場合、ファン１０ａ、１０ｂは空気流通路の適宜位置に配設されるのであれば良く、その配設位置や型式等は任意である。なお本発明の装置は、移動が楽になるよう、底面にキャスター１９が設けられているのが好ましい。
【０００７】
また本発明の装置は、筺体４の他方の側面４ｂに、筺体４に内蔵された電源装置１１から発散する熱を排出するための排熱口１２が形成され、この排熱口１２と電源装置１１とがダクト１３で連通状に接続されているのが好ましい（請求項２）。
なぜならこれによると、電源装置１１が発散する熱を、確実に且つ効率良く排出でき、筺体４内の温度上昇を一層抑えることができるからである。
【０００８】
また請求項１又は２記載の本発明の装置は、プロジェクター１を制御するためのコンピュータ１５が筺体４内に設けられ、このコンピュータ１５のインターフェース部１５ａが筺体４の前側に露出されているのが好ましい（請求項３）。
なぜならこれによると、プロジェクター１の制御用のコンピュータを置くスペースを一掃でき、マウスやキーボード等の外部接続機器を筺体４の前側から簡単且つ迅速に接続でき、使い勝手が良くなるからである。
【発明の効果】
【０００９】
本発明の装置は、プロジェクターの収納部と、外部空気の吸気口と、プロジェクターを冷却した後の空気の排気口とが直列に配置され、外部空気の吸気口と各プロジェクターの収納部とが吸気ダクトで連通状に接続されると共に、各プロジェクターの収納部と排気口とが排気ダクトで連通状に接続され、各ダクトと収納部とで形成される空気流通路にファンが設けられている。
従って本発明の装置は、薄型化を実現できながら、筺体内の温度上昇を抑えることができるから、これによればプロジェクターの投影光線、ミラーの反射光線が不規則に屈折することを防止でき、鮮明で綺麗な映像をスクリーンに映し出すことができる。
【発明を実施するための最良の形態】
【００１０】
以下、本発明を実施するための最良の形態を説明する。
図１等において、１はプロジェクターであり、２ａ、２ｂはこのプロジェクター１からの映像を反射させて画面（スクリーン）３に映し出すミラーである。この内、２ａは、プロジェクター１からの投影画像を上方に反射させるため筺体４の前側に設けられている第１ミラーである。また２ｂは、この第１ミラー２ａの反射画像を画面３に向けて反射させるため筺体４の上部の後寄りに前傾状に設けられている第２ミラーである。
【００１１】
上記のプロジェクター１は、筺体４内の下部中央の後寄りに二層に形成された収納部５に夫々納められている。この収納部５は、例えば木製や金属製の板材でケース状に形成されている。
【００１２】
６は、筺体４の一方の側面４ａに形成された外部空気の吸気口である。また７は、筺体４の他方の側面４ｂに形成された排気口である。収納部５と、外部空気の吸気口６と、排気口７とは、直列に配置されている。またこの排気口７と上記の吸気口６は、この実施形態では各プロジェクター１の配置高さに合わせて、各側面４ａ、４ｂに夫々設けられ、また縦方向の位置を同一にして設けられている。また上記の外部空気の吸気口６と、各プロジェクター１の収納部５とは、吸気ダクト８で連通状に接続されている。そして各プロジェクター１の収納部５と、排気口７とは、排気ダクト９で連通状に接続されている。従ってこの実施形態の本発明は、収納部５と吸気口６と排気口７が、直列に、且つ吸気ダクト８及び排気ダクト９を介して水平状に形成され、より円滑に空気が流れるよう形成されている。
【００１３】
１０ａ、１０ｂは、各ダクト８、９と収納部５とで形成される空気流通路に設けられているファンである。この内、１０ａは、外部空気の吸気口６の近傍位置に設けられている吸気ファンである。また１０ｂは、排気ダクト９と収納部５との接続位置に設けられている排気ファンである。
【００１４】
１１は、プロジェクター１等に給電するため、筺体４に内蔵された電源装置である。この電源装置１１が発散する熱を排出するための排熱口１２が、筺体４の他方の側面４ｂの、この実施形態では上記の排気口７の真上に形成されている。１３は、この排熱口１２と電源装置１１とを連通状に接続するためのダクトである。また１４は、このダクト１３の適宜位置に設けられているファンである。
【００１５】
１５は、プロジェクター１を制御するためのコンピュータである。このコンピュータ１５は、筺体４内に設けられ、このコンピュータ１５の前面に設けられているインターフェース部１５ａが筺体４の前側に露出されている。またこの実施形態では、筺体４の一方の側面４ａにコンピュータ１５を冷却するための外気導入口１６が、上記の吸気口６の真上に設けられている。そして外気導入口１６とコンピュータ１５とは専用ダクト１７で連通状に接続され、ファン１８で外部空気を吸気し、コンピュータ１５を強制的に冷却できるよう構成されている。
【００１６】
１９は、キャスターである。このキャスター１９は、筺体４の底面の四隅に設けられている。また２０は、筺体４の前面の左右位置に設けられているスピーカである。なお筺体４の両側面４ａ、４ｂには、本発明の装置を移動するときに手を掛けるための取っ手２１が左右一対設けられている。
【００１７】
次に本発明の装置の作用を説明する。
先ず吸気ファン１０ａが駆動すると、外部空気が吸気口６から流入し、吸気ダクト８を介して収納部５に流入し、プロジェクター１を冷却する。そしてプロジェクター１を冷却した後の空気は、排気ファン１０ｂにより排気ダクト９に吸い込まれ、排気口７から排気される。この場合、本発明では外部空気の吸気口６と収納部５と排気口７とが、一直線上に配置されているから、空気流通路が直線状に形作られ、従って空気が円滑、迅速且つ効率良く流れ、プロジェクター１を冷却する。
【００１８】
また上例では、コンピュータ１５も、ファン１８の作用で外気導入口１６から専用ダクト１７を介して導入される外部空気によって冷却される。なおコンピュータ１５を冷却した空気は、この実施形態ではコンピュータ１５の背面から筺体４内に放散されるが、筺体４の例えば背面から外部に排気できるよう、本発明はコンピュータ１５の背面と筺体４の背面との間に専用の排気路が設けられているのでも良い。また電源装置１１から出る熱は、ファン１４の作用でダクト１３を介して排熱口１２から排出される。
【図面の簡単な説明】
【００１９】
【図１】本発明の装置の好適な一実施形態を示す正面図である。
【図２】同上装置の斜視図である。
【図３】同上装置の投影光線の反射状態等を示す側面図である。
【図４】図３のＩＶ−ＩＶ線における要部断面図である。
【図５】図４のＶ−Ｖ線における要部断面図である。
【符号の説明】
【００２０】
１    プロジェクター
２ａ、２ｂ    ミラー
３    画面
４    筺体
４ａ  一方の側面
４ｂ  他方の側面
５    収納部
６    吸気口
７    排気口
８    吸気ダクト
９    排気ダクト
１０ａ、１０ｂ    ファン
【図１】
2005173277.tif 000003
【図２】
2005173277.tif 000004
【図３】
2005173277.tif 000005
【図４】
2005173277.tif 000006
【図５】
2005173277.tif 000007